(57)【要約】【課題】本発明は、簡易な構造及び小型軽量なレーザーポインタにおいて、複数の形状の投影画像を投影すること、及び、その複数の形状の選択が容易なレーザーポインタを提供することを目的としている。【解決手段】本発明は、上記課題を解決するため、レーザー光源と、このレーザー光源を内臓するペン状のケース体と、前記レーザー光源から照射されるレーザー光を反射或いは屈折し複数の形状を構成するための複数のフィルタと、前記ペン状の本体の長軸方向に移動させることによって前記複数のフィルタを選択する形状選択用ボタンとを有することを特徴としている。【選択図】図１
2009003398.tif 000002
【特許請求の範囲】
【請求項１】
レーザー光源と、このレーザー光源を内臓するペン状のケース体と、前記レーザー光源から照射されるレーザー光を反射或いは屈折し複数の投影画像形状を形成するための複数のフィルタと、前記ペン状の本体の長軸方向に移動させることによって任意の前記形状を形成するためのフィルタを選択する形状選択用ボタンとを有することを特徴とするレーザポインタ。
【請求項２】
レーザー光源と、このレーザー光源を内臓する円筒形状のケース体と、前記レーザー光源から照射されるレーザー光を反射或いは屈折し複数の投影画像形状を形成するための複数のレンズ状フィルタと、この複数のレンズ状フィルタを離間して配置し中心軸を光軸に垂直に配置されるディスクと、このディスクの円周端に設けられ、このディスクを回転することにより任意の前記形状を選択するための投影形状選択用のダイヤル式操作部とを特徴とするレーザポインタ。
【請求項３】
レーザー光源と、このレーザー光源を内臓する円筒形状のケース体と、前記レーザー光源から照射されるレーザー光を反射或いは屈折し複数の形状を構成するための複数のレンズ状フィルタと、前記ペン状の本体の長軸方向にスライド移動させることによって前記複数のフィルタから任意のフィルタを選択する形状選択用スライドボタンとを有することを特徴とするレーザポインタ。
【発明の詳細な説明】
【技術分野】
【０００１】本発明は、レーザポインタ、特に複数の形状の画像を投影することが可能なレーザポインタに関する。
【背景技術】
【０００２】従来、複数の形状、例えば、点、直線、円などの画像を投影できるレーザポインタが知られている。
例えば、下記特許文献１では、２つの圧電アクチュエータを用い、ミラーを互いに垂直な方向に振動させて、レーザー光を走査し、例えば円形状を描画するような動作を行い円形の画像の投影光を形成し、投影している。【０００３】また、下記特許文献２では、手ブレを防止するための回転ディスク上に屈折グリッドを設け、この回転ディスクの回転によってレーザー光を走査し所定画像の投影光を形成し、投影している。【０００４】
【特許文献１】特開平６−３３１９３４号
【特許文献２】特開平８−２８６１４７号
【発明の開示】
【発明が解決しようとする課題】
【０００５】上記特許文献１、２では、アクチュエータを用いてレーザ光を走査して画像を描画するような動作で画像を形成し、投影しているため、高コストとなる。
また、アクチュエータやミラーを本体に収納しなければならず、本体が大型化してしまう。【０００６】本発明は、簡易な構造及び小型軽量なレーザーポインタにおいて、複数の形状の投影画像を投影すること、及びその複数の形状の選択が容易なレーザーポインタを提供することを目的としている。
【課題を解決するための手段】
【０００７】前記目的を達成するため、本発明に係るレーザポインタは、レーザー光源と、このレーザー光源を内臓するペン状のケース体と、前記レーザー光源から照射されるレーザー光を反射或いは屈折し複数の投影画像形状を形成するための複数のフィルタと、前記ペン状の本体の長軸方向に移動させることによって前記複数のフィルタの内から任意のフィルタを選択する形状選択用ボタンとを有することを特徴とするものである。
【発明の効果】
【０００８】本発明によれば、ペン型のレーザポインタにおいて、操作性良く、片手で投影画像の切替が行えるという効果を有する。
【発明を実施するための最良の形態】
【０００９】以下、本発明を実施するための最良の形態について、図面を参照して詳細に説明する。
【実施例】
【００１０】以下、図に沿って本発明の一実施例を説明する。
図１は本発明の一実施例を示す斜視図、図２は側面断面図である。
１は円筒形状の本体ケース、２は半導体レーザーを用いた光源、３は画像形成用フィルタ、４は投影画像の形状を選択するための形状選択ボタン、５はレーザ光源駆動用のスイッチ、６は投影レンズ、７は電池、８はレーザ光である。
形状選択ボタン４は、円筒形のペン状本体ケース１の長軸に垂直な回転軸を有し、長軸に平行な方向に回転操作するように、本体ケース１から端部が一部露出している。
この形状選択ボタン４は、ディスク状の基板とこの基板の円周端側面の操作部を有し、基板には点状のレーザ光から複数の画像形状を形成する画像形成用フィルタ３が、離間して設けられている。【００１１】レーザ光源２は、赤色、或いは緑色の光を発する半導体レーザを用いている。
このレーザ光源２からは、直径約２ｍｍのレーザー光が出力される。
画像形成用フィルタ３は、このレーザ光の直径約２ｍｍの投影光の範囲内に配置された、複数の異なる屈折率の凸形状（屈折片）によって構成されている。
尚この画像形成用フィルタ３は、ガラスの削りだし、またはエッチング加工によって形成される。
各屈折片の幅は約１０〜２０ミクロンである。【００１２】画像形成用フィルタ３は本体ケース１の長軸方向に回転可能となるように設けられているため、本体を持った手の指で簡単に回転動作が可能であり、回転して、所望のフィルタを光軸上に配置することによって、投影画像が切り替わる。【００１３】図３に、第２の実施例を示す。
第１の実施例では各投影画像形成用の画像形成用フィルタ３は、形状選択ボタン４のディスク状の基板４に固定されているが、本実施例では、個々の画像形成用フィルタ３は本体ケースに離間して配置される。
各画像形成用フィルタは、弾性体によって保持されており、外力が作用していない状態では、レーザ光の光軸外に位置するよう配置されている。選択用のスライド式ボタンを本体ケースの長軸方向に沿ってスライド移動させることによって、所望の画像形成用フィルタを光軸上に押し下げて、所望の形状の投影画像を得る。【００１４】本実施例においても、画像選択用のスライドボタンは、本体ケースの長軸方向の移動のみで必要な画像形成用フィルタが選択できるため、本体を持った手の指で簡単に操作することができる。【００１５】図４及び図５に画像形成用フィルタの一例を示す。
図４は円形状を形成するためのフィルタであり、（１）は側面図、（２）は上面図である。
屈折率の異なる複数のレンズ片の中心を一致させ、同心円状に配置されている。
図５は任意の形状を形成するためのフィルタであり、（１）は側面図、（２）は上面図である。
屈折率の異なる複数のブロック状のレンズ片によって構成されている。
任意の形状を形成するため、上面が種々の傾斜角度とされている。
この傾斜角度によって、レーザ光を収束させ、或いは拡散させる。【００１６】本発明は、上述の実施例に限定されるものではなく、例えば、画像形成用フィルタや形状選択用ボタンの形状は異なるものであってもよい。
また、本体ケースや内部ケース体は、木材或いは金属で構成してもよい。
【産業上の利用可能性】
【００１７】本発明は、アクチュエータを用いることなく、簡単な構成で、複数の形状の画像を投影することが可能である。
また、その投影形状を、レーザポインタを持つ手の指のみで選択することが可能であり、容易に投影形状を選択することができるため、レーザポインタを用いたプレゼンテーションが容易となる。
【図面の簡単な説明】
【００１８】
【図１】図１は、本発明の第１実施例の形態に係る構成を示す斜視図である。
【図２】図２は、本発明の第１実施例の形態に係る構成を示す正面断面図である。
【図３】図３は、本発明の第２実施例の形態に係る構成を示す正面断面図である。
【図４】図４は、本発明の実施例の円形状用画像形成用フィルタの形態に係る構成を示す構造図であり、（１）は側面図、（２）は上面図である。
【図５】図５は、本発明の実施例の任意の形状用画像形成用フィルタの形態に係る構成を示す構造図であり、（１）は側面図、（２）は上面図である。
【符号の説明】
【００１９】１：本体ケース
２：レーザ光源
３：画像形成用フィルタ
４：形状選択ボタン
【図１】
2009003398.tif 000003
【図２】
2009003398.tif 000004
【図３】
2009003398.tif 000005
【図４】
2009003398.tif 000006
【図５】
2009003398.tif 000007